(57)【要約】【課題】目的地への途中経路にある別の情報案内装置をユーザが容易に利用できるようにする。【解決手段】情報案内ディスプレイ装置２０に携帯端末１０がかざされた場合に、情報案内ディスプレイ装置２０にて地図画像を案内表示する情報案内表示システムにおいて、目的地への移動経路を含む地図画像を表示出力する場合に、携帯端末１０による情報案内ディスプレイ装置２０の利用履歴を参照し、目的地への移動経路を決定し、その決定した移動経路と、該移動経路の決定に用いた利用履歴のある情報案内ディスプレイ装置２０の位置とを、情報案内ディスプレイ装置２０にて、地図画像に含めて案内表示する。【選択図】図１
2008129773.tif 000002
【特許請求の範囲】
【請求項１】
携帯端末との間で非接続状態で通信可能な携帯端末間通信装置に前記携帯端末がかざされた場合に、前記携帯端末間通信装置の表示出力部又は携帯端末にて地図画像を外部出力するための画像データを送信する情報管理サーバにおいて、
前記携帯端末による前記携帯端末間通信装置の利用履歴を含めて、前記携帯端末に関する情報を管理する携帯端末情報管理手段と、
前記携帯端末情報管理手段で管理する前記利用履歴を参照し、前記携帯端末が利用したことのある携帯端末間通信装置を、目的地に至る経路の中継地点として選択する中継地点選択手段と、
前記中継地点選択手段が目的地に至る経路の中継地点として選択した携帯端末間通信装置を経由するように、目的地への移動経路を決定する移動経路決定手段と、
前記移動経路決定手段が決定した移動経路と、前記中継地点選択手段が選択した携帯端末間通信装置の位置とを含めた地図の画像データを作成する画像データ作成手段と、
前記画像データ作成手段が作成した画像データを通信ネットワークを介して前記携帯端末間通信装置又は携帯端末に送信する送信手段と、
を備えることを特徴とする情報管理サーバ。
【請求項２】
前記移動経路決定手段は、前記携帯端末情報管理手段で管理する前記利用履歴を参照し、前記目的地に通じる複数の移動経路の候補から、前記利用履歴である利用回数が最多の携帯端末間通信装置が存在する一の移動経路を決定することを特徴とする請求項１に記載の情報管理サーバ。
【請求項３】
前記携帯端末情報管理手段は、前記携帯端末間通信装置における入力操作で指定された目的地を示す目的地情報を、前記携帯端末の識別情報に対応付けて利用履歴として管理するものであり、
前記利用履歴として管理する目的地情報を参照し、目的地への訪問日時及び訪問回数を取得する目的地訪問情報取得手段を備え、前記画像データ作成手段は、前記目的地訪問情報取得手段が取得した前記目的地の訪問日時及び訪問回数の情報を含めた地図の画像データを作成することを特徴とする請求項１又は２に記載の情報管理サーバ。
【請求項４】
前記中継地点選択手段が選択した携帯端末間通信装置に携帯端末がかざされた場合、前記画像データ作成手段は、さらに前記目的地の位置を含めて、地図の画像データを作成することを特徴とする請求項１〜３の何れか１項に記載の情報管理サーバ。
【請求項５】
前記携帯端末情報管理手段は、前記携帯端末間通信装置における入力操作で指定された目的地及びその入力時刻の情報を、前記携帯端末の識別情報に対応付けて利用履歴として管理しており、前記中継地点選択手段は、現在時刻と前記利用履歴で管理する入力時刻との時間間隔が所定時間以下の携帯端末間通信装置を前記中継地点の携帯端末間通信装置として選択することを特徴とする請求項４に記載の情報管理サーバ。
【請求項６】
携帯端末との間で非接続状態で通信可能とされ、前記携帯端末がかざされたことに対応して情報管理サーバから送信されてくる画像データを地図画像として外部出力し、又は前記携帯端末にて外部出力させる携帯端末間通信装置において、
前記情報管理サーバでは、前記携帯端末による前記携帯端末間通信装置の利用履歴を、該携帯端末の識別情報と該携帯端末間通信装置の識別情報とを対応づけて管理しており、前記携帯端末の識別情報とともに、施設の識別情報が送信されてきた場合には、前記施設の識別情報に基づいて、目的地を決定するとともに、前記利用履歴を参照し、前記携帯端末の識別情報を基に、該携帯端末が利用したことがあり、かつ前記目的地への移動経路上に存在する携帯端末間通信装置を選定し、前記目的地への移動経路及び前記選定した携帯端末間通信装置の位置を含めて地図の画像データを作成し、その作成した画像データを携帯端末間通信装置又は携帯端末に送信しており、
かざされた携帯端末の識別情報を取得する携帯端末識別情報取得手段と、
携帯端末間通信装置の識別情報を保持する装置識別情報保持手段と、
前記地図画像内に表示している施設で、ユーザにより指定された施設の識別情報を取得する施設識別情報取得手段と、
前記携帯端末識別情報取得手段が取得した携帯端末の識別情報、前記装置識別情報保持手段が保持する携帯端末間通信装置の識別情報及び施設識別情報取得手段が取得した施設の識別情報を前記情報管理サーバに送信する送信手段と、
を備えることを特徴とする携帯端末間通信装置。
【請求項７】
非接続状態で通信可能な携帯端末間通信装置にかざされることで、自己の識別情報が前記携帯端末間通信装置を介して情報管理サーバに送信されて、その送信に対応して前記情報管理サーバから送信されてくる画像データを地図画像として前記携帯端末間通信装置の表示出力部又は自己を介して外部出力する携帯端末において、
目的地への移動経路を含む地図画像を表示出力する場合に、前記情報管理サーバでは、携帯端末の識別情報を基にして、前記携帯端末による前記携帯端末間通信装置の利用履歴を参照し、前記目的地への移動経路を決定し、その決定した移動経路と、該移動経路の決定に用いた利用履歴のある携帯端末間通信装置の位置とを、前記画像データに含めて前記携帯端末間通信装置又は携帯端末に送信しており、
携帯端末の識別情報を保持する携帯端末識別情報保持手段と、
かざさしたタイミングで、前記携帯端末識別情報保持手段が保持している携帯電話の識別情報を前記携帯端末間通信装置に送信する送信手段と、
を備えることを特徴とする携帯端末。
【請求項８】
携帯端末との間で非接続状態で通信可能な携帯端末間通信装置に前記携帯端末がかざされた場合に、前記携帯端末間通信装置の表示出力部又は前記携帯端末にて地図画像を外部出力する情報提供方法において、
前記携帯端末間通信装置に携帯端末がかざされた場合、該携帯端末間通信装置及び携帯端末の識別情報を情報管理サーバに送信し、
前記情報管理サーバでは、送信されてきた前記携帯端末間通信装置の識別情報と携帯端末の識別情報とを対応付けて前記携帯端末による前記携帯端末間通信装置の利用履歴として管理し、
前記情報管理サーバでは、前記携帯端末間通信装置又は携帯端末にて地図画像を表示させる際には、前記利用履歴を参照し、前記携帯端末の識別情報を基に、該携帯端末が利用したことがあり、かつ前記目的地への移動経路上に存在する携帯端末間通信装置を選定し、その選定した携帯端末間通信装置を経由するように、目的地への移動経路を決定し、
前記情報管理サーバでは、該携帯端末間通信装置及び移動経路を含めて地図の画像データを作成し、その作成した画像データを前記携帯端末間通信装置又は携帯端末に送信し、
前記携帯端末間通信装置の表示出力部又は携帯端末では、前記情報管理サーバから送信されてくる画像データに基づいて、地図画像を外部出力すること
を特徴とする情報提供方法。
【発明の詳細な説明】
【技術分野】
【０００１】
本発明は、非接続状態で通信可能な携帯端末間通信装置及び通信端末、携帯端末又は携帯端末間通信装置を介して提供する情報を管理する情報管理サーバ、並びに情報提供方法に関する。
【背景技術】
【０００２】
近年、携帯端末との間で非接続状態で通信可能な携帯端末間通信装置として、電子ディスプレイ等を備えた情報案内ディスプレイ装置（情報表示装置）がある。そして、そのような情報案内ディスプレイ装置を用いて周辺施設等を探しているユーザを支援するシステムが普及している。
例えば、イベント会場、ホテル、デパートやショッピングモール等の複合商業施設や、駅や空港等の公共交通機関等において、ユーザが目的とする施設を電子ディスプレイに表示して、該施設に誘導するシステム等が存在する。
【０００３】
特許文献１では、案内情報をカテゴリに分類してアイコンとして地図上に表示することで、ユーザが、地図上で目的とするエリアを容易に発見できるようにしている。
また、特許文献２では、イベント会場等において、ユーザの興味と合致する目的地を探し易くするために、施設全体の概略を知るためのエリアと、詳細なイベント内容等をユーザが操作して確認するためのエリアと、を同一ディスプレイ上に表示している。
【特許文献１】特開２００５−２０８４３４号公報
【特許文献２】特開２００４−０１２４７８号公報
【発明の開示】
【発明が解決しようとする課題】
【０００４】
ところで、出発地点における情報案内ディスプレイ装置を確認しただけで、目的地まで到達できない場合がある。この場合、再度目的地までの経路を確認するために、目的地への途中経路で情報案内ディスプレイ装置を改めて探さなければならず、ユーザにとってこれは手間となる。しかし、前記特許文献ではこのような課題を解決できない。
本発明の課題は、目的地への途中経路にある別の情報案内装置をユーザが容易に利用できるようにすることである。
【課題を解決するための手段】
【０００５】
前記課題を解決するために、請求項１に記載の発明に係る情報管理サーバは、携帯端末との間で非接続状態で通信可能な携帯端末間通信装置に前記携帯端末がかざされた場合に、前記携帯端末間通信装置の表示出力部又は携帯端末にて地図画像を外部出力するための画像データを送信する情報管理サーバにおいて、前記携帯端末による前記携帯端末間通信装置の利用履歴を含めて、前記携帯端末に関する情報を管理する携帯端末情報管理手段と、前記携帯端末情報管理手段で管理する前記利用履歴を参照し、前記携帯端末が利用したことのある携帯端末間通信装置を、目的地に至る経路の中継地点として選択する中継地点選択手段と、前記中継地点選択手段が目的地に至る経路の中継地点として選択した携帯端末間通信装置を経由するように、目的地への移動経路を決定する移動経路決定手段と、前記移動経路決定手段が決定した移動経路と、前記中継地点選択手段が選択した携帯端末間通信装置の位置とを含めた地図の画像データを作成する画像データ作成手段と、前記画像データ作成手段が作成した画像データを通信ネットワークを介して前記携帯端末間通信装置又は携帯端末に送信する送信手段と、を備えることを特徴とする。
【０００６】
また、請求項２に記載の発明に係る情報管理サーバは、請求項１に記載の発明に係る情報管理サーバにおいて、前記移動経路決定手段が、前記携帯端末情報管理手段で管理する前記利用履歴を参照し、前記目的地に通じる複数の移動経路の候補から、前記利用履歴である利用回数が最多の携帯端末間通信装置が存在する一の移動経路を決定することを特徴とする。
【０００７】
また、請求項３に記載の発明に係る情報管理サーバは、請求項１又は２に記載の発明に係る情報管理サーバにおいて、前記携帯端末情報管理手段が、前記携帯端末間通信装置における入力操作で指定された目的地を示す目的地情報を、前記携帯端末の識別情報に対応付けて利用履歴として管理するものであり、前記利用履歴として管理する目的地情報を参照し、目的地への訪問日時及び訪問回数を取得する目的地訪問情報取得手段を備え、前記画像データ作成手段は、前記目的地訪問情報取得手段が取得した前記目的地の訪問日時及び訪問回数の情報を含めた地図の画像データを作成することを特徴とする。
【０００８】
また、請求項４に記載の発明に係る情報管理サーバは、請求項１〜３の何れか１項に記載の発明に係る情報管理サーバにおいて、前記中継地点選択手段が選択した携帯端末間通信装置に携帯端末がかざされた場合、前記画像データ作成手段が、さらに前記目的地の位置を含めて、地図の画像データを作成することを特徴とする。
また、請求項５に記載の発明に係る情報管理サーバは、請求項４に記載の発明に係る情報管理サーバにおいて、前記携帯端末情報管理手段が、前記携帯端末間通信装置における入力操作で指定された目的地及びその入力時刻の情報を、前記携帯端末の識別情報に対応付けて利用履歴として管理しており、前記中継地点選択手段が、現在時刻と前記利用履歴で管理する入力時刻との時間間隔が所定時間以下の携帯端末間通信装置を前記中継地点の携帯端末間通信装置として選択することを特徴とする。
【０００９】
また、請求項６に記載の発明に係る携帯端末間通信装置は、携帯端末との間で非接続状態で通信可能とされ、前記携帯端末がかざされたことに対応して情報管理サーバから送信されてくる画像データを地図画像として外部出力し、又は前記携帯端末にて外部出力させる携帯端末間通信装置において、前記情報管理サーバでは、前記携帯端末による前記携帯端末間通信装置の利用履歴を、該携帯端末の識別情報と該携帯端末間通信装置の識別情報とを対応づけて管理しており、前記携帯端末の識別情報とともに、施設の識別情報が送信されてきた場合には、前記施設の識別情報に基づいて、目的地を決定するとともに、前記利用履歴を参照し、前記携帯端末の識別情報を基に、該携帯端末が利用したことがあり、かつ前記目的地への移動経路上に存在する携帯端末間通信装置を選定し、前記目的地への移動経路及び前記選定した携帯端末間通信装置の位置を含めて地図の画像データを作成し、その作成した画像データを携帯端末間通信装置又は携帯端末に送信しており、かざされた携帯端末の識別情報を取得する携帯端末識別情報取得手段と、携帯端末間通信装置の識別情報を保持する装置識別情報保持手段と、前記地図画像内に表示している施設で、ユーザにより指定された施設の識別情報を取得する施設識別情報取得手段と、前記携帯端末識別情報取得手段が取得した携帯端末の識別情報、前記装置識別情報保持手段が保持する携帯端末間通信装置の識別情報及び施設識別情報取得手段が取得した施設の識別情報を前記情報管理サーバに送信する送信手段と、を備えることを特徴とする。
【００１０】
また、請求項７に記載の発明に係る携帯端末は、非接続状態で通信可能な携帯端末間通信装置にかざされることで、自己の識別情報が前記携帯端末間通信装置を介して情報管理サーバに送信されて、その送信に対応して前記情報管理サーバから送信されてくる画像データを地図画像として前記携帯端末間通信装置の表示出力部又は自己を介して外部出力する携帯端末において、目的地への移動経路を含む地図画像を表示出力する場合に、前記情報管理サーバでは、携帯端末の識別情報を基にして、前記携帯端末による前記携帯端末間通信装置の利用履歴を参照し、前記目的地への移動経路を決定し、その決定した移動経路と、該移動経路の決定に用いた利用履歴のある携帯端末間通信装置の位置とを、前記画像データに含めて前記携帯端末間通信装置又は携帯端末に送信しており、携帯端末の識別情報を保持する携帯端末識別情報保持手段と、かざさしたタイミングで、前記携帯端末識別情報保持手段が保持している携帯電話の識別情報を前記携帯端末間通信装置に送信する送信手段と、を備えることを特徴とする。
【００１１】
また、請求項８に記載の発明に係る情報提供方法は、携帯端末との間で非接続状態で通信可能な携帯端末間通信装置に前記携帯端末がかざされた場合に、前記携帯端末間通信装置の表示出力部又は前記携帯端末にて地図画像を外部出力する情報提供方法において、前記携帯端末間通信装置に携帯端末がかざされた場合、該携帯端末間通信装置及び携帯端末の識別情報を情報管理サーバに送信し、前記情報管理サーバでは、送信されてきた前記携帯端末間通信装置の識別情報と携帯端末の識別情報とを対応付けて前記携帯端末による前記携帯端末間通信装置の利用履歴として管理し、前記情報管理サーバでは、前記携帯端末間通信装置又は携帯端末にて地図画像を表示させる際には、前記利用履歴を参照し、前記携帯端末の識別情報を基に、該携帯端末が利用したことがあり、かつ前記目的地への移動経路上に存在する携帯端末間通信装置を選定し、その選定した携帯端末間通信装置を経由するように、目的地への移動経路を決定し、前記情報管理サーバでは、該携帯端末間通信装置及び移動経路を含めて地図の画像データを作成し、その作成した画像データを前記携帯端末間通信装置又は携帯端末に送信し、前記携帯端末間通信装置の表示出力部又は携帯端末では、前記情報管理サーバから送信されてくる画像データに基づいて、地図画像を外部出力することを特徴とする。
【発明の効果】
【００１２】
本発明によれば、携帯端末間通信装置の表示出力部又は携帯端末にて、目的地への移動経路を含む地図画像を表示出力する場合に、前記携帯端末による前記携帯端末間通信装置の利用履歴を参照し、前記目的地への移動経路を決定し、決定した移動経路と、該移動経路の決定に用いた利用履歴のある携帯端末間通信装置の位置とを、前記携帯端末間通信装置の表示出力部又は携帯端末にて、前記地図画像に含めて表示することができるので、目的地までの移動経路にある携帯端末間通信装置を容易に発見することが可能になる。また、利用履歴のある携帯端末間通信装置を経由する移動経路となるので、その移動経路の地域はユーザにとって土地勘のある地域となるから、ユーザが目的地に移動する過程で道に迷う頻度を減らすことが可能になる。
【発明を実施するための最良の形態】
【００１３】
本発明を実施するための最良の形態（以下、実施形態という。）を図面を参照しながら詳細に説明する。
（構成）
本実施形態は、本発明を適用した情報案内表示システムを説明する。そして、情報案内表示システムは、本発明を適用した情報配信サーバを含んでいる。
【００１４】
（情報案内表示システムの構成）
図１は、情報案内表示システムの構成を示す。
図１に示すように、情報案内表示システムは、携帯端末１０、情報案内ディスプレイ装置（情報表示装置）２０及び情報配信サーバ４０を備えている。情報案内ディスプレイ装置２０と情報配信サーバ４０とは、通信ネットワーク１００を介して通信可能に接続されている。
【００１５】
（携帯端末の構成）
図２は、携帯端末１０の構成例を示す。
図２に示すように、携帯端末１０は、携帯電話等であり、端末ＩＤ送信部１１及び端末ＩＤ格納部１２を備えている。
端末ＩＤ格納部１２には、携帯端末１０のＩＤ（端末ＩＤ）が格納されており、端末ＩＤ送信部１１は、端末ＩＤ格納部１２に格納されている端末ＩＤを情報案内ディスプレイ装置２０に送信する。送信タイミングについては、携帯端末１０が情報案内ディスプレイ装置２０の後述の端末ＩＤ読込部２１にセットされた際に（端末ＩＤ送信部１１と端末ＩＤ読込部２１との間の通信が確立した場合に）、端末ＩＤを該端末ＩＤ読込部２１に送信する。ここで、端末ＩＤは、携帯端末１０を一意に識別するための情報からなる。
【００１６】
（情報案内ディスプレイ装置の構成）
情報案内ディスプレイ装置２０は、ユーザからの要求を獲得しつつ、情報配信サーバ４０から配信された情報をユーザに提供するように構成された電子ディスプレイ装置である。
図３は、情報案内ディスプレイ装置２０の構成例を示す。
情報案内ディスプレイ装置２０は、端末ＩＤ読込部２１、要求送信部２２、ディスプレイＩＤ送信部２３、ディスプレイＩＤ格納部２４、案内情報表示部（電子ディスプレイ）２５及び施設ＩＤ取得部２７を備えている。なお、情報案内ディスプレイ装置２０は、図示しないが、通信ネットワーク１００を介して情報配信サーバ４０との間でデータの送受信を行うための送受信部を備えている。
【００１７】
端末ＩＤ読込部２１は、かざされた（近づけられた又は所定範囲内に位置された）携帯端末１０（端末ＩＤ送信部１１）から送信される端末ＩＤを受信する。例えば、Ｆｅｌｉｃａ等の非接触ＩＤ技術を用いて携帯端末１０の端末ＩＤ送信部１１との間の通信を行う。
ここで、情報案内ディスプレイ装置２０では、該情報案内ディスプレイ装置２０上に表示された施設（複数の施設）の中から目的地となる施設をユーザが指定できるようになっている。目的地の指定は、マウスやカーソル移動などさまざまな入力手段により可能であるが、本実施例ではタッチディスプレイによる入力手段により施設（目的地）の選択が可能になっている。これにより、ユーザは、情報案内ディスプレイ装置２０上に表示された施設のうち目的地となる施設を指で直接クリックすることで目的地を指定する。
【００１８】
このようにユーザが情報案内ディスプレイ装置２０上で目的地（施設）を指定すると、施設ＩＤ取得部２７は、ユーザが指定した施設の施設ＩＤを取得する。
ディスプレイＩＤ格納部２４には、電子ディスプレイ装置のＩＤ（ディスプレイＩＤ）が格納されており、要求送信部２２は、端末ＩＤ読込部２１が端末ＩＤを受信したタイミングで、ディスプレイＩＤ格納部２４に格納されているディスプレイＩＤを読み出し、読み出したディスプレイＩＤを、端末ＩＤとともに情報配信サーバ４０に送信する。ここで、ディスプレイＩＤは、特定のエリア内（例えば駅の構内）で情報案内ディスプレイ装置２０を一意に識別するための情報からなる。
【００１９】
また、ユーザが情報案内ディスプレイ装置２０上で目的地（施設）を指定した場合、すなわち、施設ＩＤ取得部２７がユーザが指定した施設の施設ＩＤを取得した場合、要求送信部２２は、ディスプレイＩＤ及び端末ＩＤとともに、端末ＩＤ読込部２１が取得した目的地情報としての施設ＩＤも情報配信サーバ４０に送信する。
案内情報表示部２５は、情報配信サーバ４０から送信されてくる出力イメージ（画像データ）を受信して、受信した出力イメージをディスプレイ（電子ディスプレイ）２５ａに地図画像として表示する。
【００２０】
（情報配信サーバの構成）
情報配信サーバ４０は、ユーザ（具体的には携帯端末１０又は情報案内ディスプレイ装置２０）からの要求（ユーザ要求）に応じて施設の名称や経路情報を配信するように構成されている。
図４は、情報配信サーバ４０の構成例を示す。
図４に示すように、情報配信サーバ４０は、要求受信部４１、中継（中間）目的地判定部４２、案内情報選択部４３、移動経路算出部（移動経路選択部及び情報案内ディスプレイ装置選択部）４４、地図データ読込部４５、出力イメージ生成部４６、出力イメージ送信部４７、ディスプレイ位置情報格納部４８、施設情報格納部４９、端末履歴格納部５０及び地図データ格納部５１を備えている。
【００２１】
図５は、情報配信サーバ４０の処理手順を示す。この処理手順に沿って、情報配信サーバ４０の各構成部の処理を説明する。なお、この処理は、ユーザが情報案内ディスプレイ装置２０にて目的地を設定していない場合の処理になる。この処理は、例えば、後述の図６の処理により設定される中継地点となる情報案内ディスプレイ装置２０に携帯端末１０がかざされた場合の処理になる。
【００２２】
図５に示すように、先ずステップＳ１において、要求受信部４１は、情報案内ディスプレイ装置２０から送信されてくる端末ＩＤ及びディスプレイＩＤを受信したか否かを判定する。ここで、情報案内ディスプレイ装置２０からの端末ＩＤ及びディスプレイＩＤを受信した場合、ステップＳ２に進む。
ステップＳ２では、端末履歴格納部５０は、前記ステップＳ１で受信した端末ＩＤが端末履歴管理テーブル（端末履歴管理ＤＢ（データベース））５０ａに登録されているか否かを判定する。具体的には、端末履歴格納部５０は、端末履歴管理テーブル５０ａを参照して、端末ＩＤを検索キーとして、端末履歴管理テーブル５０ａ内にマッチする履歴情報が格納されているか否かを判定する。
【００２３】
図６は、端末履歴格納部５０に格納されている端末履歴管理テーブル５０ａの構成例を示す。
図６に示すように、端末履歴管理テーブル５０ａは、携帯端末１０による情報案内ディスプレイ装置２０の利用履歴の情報からなり、「端末ＩＤ」、「ディスプレイＩＤ」、「目的地」及び「利用日時」の各項目の情報が対応付けられて構成されている。すなわち、端末履歴管理テーブル５０ａの履歴情報は、「端末ＩＤ」の携帯端末１０により、「ディスプレイＩＤ」の情報案内ディスプレイ装置２０が「利用日時」に利用されて、その利用時に設定された「目的地」の情報から構成されている。これにより、ユーザが情報案内ディスプレイ装置２０を利用したタイミングで、ユーザの携帯端末１０の「端末ＩＤ」、利用した情報案内ディスプレイ装置２０の「ディスプレイＩＤ」及びその「利用日時」が、端末履歴管理テーブル５０ａに利用履歴情報として記憶される。また、情報案内ディスプレイ装置２０にて目的地（施設）の指定がなされると、その施設情報（施設名称）が「目的地」として、端末履歴管理テーブル５０ａに記憶される。
【００２４】
ここで、端末ＩＤについての利用履歴が端末履歴管理テーブル５０ａ内に一件も登録されていない場合、すなわち、端末ＩＤに対応する携帯端末による情報案内ディスプレイ装置の利用履歴がない場合、ステップＳ３に進み、端末ＩＤについての利用履歴が端末履歴管理テーブル５０ａ内に一件以上登録されている場合、ステップＳ８に進む。
ステップＳ３では、ディスプレイ位置情報格納部４８は、ディスプレイ位置情報管理テーブル（ディスプレイ位置情報管理ＤＢ）４８ａを参照して、端末ＩＤとともに送信されてきたディスプレイＩＤに対応する位置情報を読み込む。
【００２５】
図７は、ディスプレイ位置情報格納部４８に格納されているディスプレイ位置情報管理テーブル４８ａの構成例を示す。
図７に示すように、ディスプレイ位置情報管理テーブル４８ａでは、「ディスプレイＩＤ」及び「位置」の各項目の情報が対応付けられて構成されている。ここで、「位置」の情報は、ディスプレイＩＤに対応する情報案内ディスプレイ装置の位置を示す座標情報になる。
【００２６】
続いてステップＳ４において、地図データ読込部４５は、前記ステップＳ３で読み込んだ情報案内ディスプレイ装置の位置情報に基づいて、地図データ格納部（例えば地図ＤＢ）５１に格納されている地図情報（例えば、縮尺が小のもの）を読み込む。ここで、地図情報は、情報案内ディスプレイ装置の位置を中心としたエリア地図（周辺エリア地図）からなる情報である。
続いてステップＳ５において、施設情報格納部４９は、施設情報管理テーブル（施設情報管理ＤＢ）４９ａを参照して、前記ステップＳ４で読み込んだエリア地図の範囲内に含まれる全ての施設情報を読み込む。
【００２７】
図８は、施設情報格納部４９に格納されている施設情報管理テーブル４９ａの構成例を示す。
図８に示すように、施設情報管理テーブル４９ａは、施設に関する情報からなり、「施設ＩＤ」、「施設名」及び［位置］の各項目の情報が対応付けて構成されている。「施設ＩＤ」の情報は、エリア内の施設を一意に識別するための情報である。「施設名」の情報は、施設名称を示す。「位置」の情報は、該当する施設の特定エリア内の位置を示しており、本実施例では、「100025，200013」のようにエリア内の座標軸で表現され、Ｘ軸とＹ軸の原点からの相対位置として施設の位置を示す。
【００２８】
続いてステップＳ６において、出力イメージ生成部４６は、前記ステップＳ４で読み込んだエリア地図と前記ステップＳ５で読み込んだ施設情報（特に施設名称）とを合成した出力イメージ（画像データ）を生成する。
続いてステップＳ７において、出力イメージ送信部４７は、前記ステップＳ６で生成した出力イメージを情報案内ディスプレイ装置２０に送信する。
【００２９】
一方、前記ステップＳ２において端末ＩＤについての利用履歴が端末履歴管理テーブル５０ａ内に一件以上登録されていると判定された場合に進むステップＳ８では、端末履歴格納部５０は、端末履歴管理テーブル５０ａを参照して、要求受信部４１が受信した端末ＩＤを検索キーとして、端末履歴管理テーブル５０ａ内からマッチする履歴情報を全て読み込む。すなわち、端末履歴格納部５０は、端末ＩＤに対応する全ての履歴情報を読み込む。
【００３０】
続いてステップＳ９において、前記ステップＳ８で読み込んだ端末ＩＤにマッチする履歴情報の中で、最新の履歴情報（「利用日時」が最新の履歴情報）を一つ選択する。
続いてステップＳ１０において、前記ステップＳ９で選択した最新の履歴情報の「利用日時」と現時刻との差分が所定の時間内か否かを判定する。例えば、本実施形態では、所定の時間は１時間である。
【００３１】
ここで、前記差分が１時間以内の場合、ステップＳ１１に進み、前記差分が１時間よりも長い場合、ステップＳ１６に進む。
ステップＳ１１では、履歴情報（前記差分が１時間以内とされた履歴情報）において「目的地」とされる施設を特定する。そして、施設情報格納部４９が、その特定した施設の位置情報を施設情報管理テーブル４９ａから読み込む。
【００３２】
なお、ステップＳ９〜ステップＳ１１の処理は、中継目的地判定部４２、施設情報格納部４９及び端末履歴格納部５０が適宜行う。
続いてステップＳ１２において、地図データ読込部４５は、前記ステップＳ１１で読み込んだ施設（位置）と前記ステップＳ１で受信したディスプレイＩＤに対応する情報案内ディスプレイ装置（位置）とを含む最大縮尺の地図（エリア地図）を地図データ格納部５１から読み込む。
【００３３】
続いてステップＳ１３において、施設情報格納部４９は、施設情報管理テーブル４９ａを参照して、前記ステップＳ１２で読み込んだエリア地図（最大縮尺の地図）の範囲内に含まれる全ての施設情報を読み込む。
続いてステップＳ１４において、移動経路算出部４４は、目的地までの移動経路を算出（選択）する。
【００３４】
続いてステップＳ１５において、出力イメージ生成部４６は、前記ステップＳ１２で読み込んだエリア地図と前記ステップＳ１３で読み込んだ施設情報（特に施設名称）とを合成した出力イメージ（画像データ）を生成する。具体的には、前記ステップＳ１４で算出した目的地までの移動経路が表示され、かつ前記ステップＳ１１で特定した目的地となる施設がハイライト表示されるように、出力イメージを生成する。
【００３５】
続いてステップＳ７において、出力イメージ送信部４７は、前記ステップＳ１５で生成した出力イメージを情報案内ディスプレイ装置２０に送信する。
一方、前記ステップＳ１０において前記差分が１時間よりも長い場合に進むステップＳ１６では、ディスプレイ位置情報格納部４８は、ディスプレイ位置情報管理テーブル４８ａを参照して、端末ＩＤとともに送信されてきたディスプレイＩＤに対応する位置情報を読み込む。
【００３６】
続いてステップＳ１７において、地図データ読込部４５は、前記ステップＳ１６で読み込んだ情報案内ディスプレイ装置の位置情報に基づいて、地図データ格納部５１に格納されている地図情報（例えば、縮尺が小のもの）を読み込む。ここで、地図情報は、情報案内ディスプレイ装置の位置を中心としたエリア地図（周辺エリア地図）からなる情報である。
【００３７】
続いてステップＳ１８において、施設情報格納部４９は、施設情報管理テーブル４９ａを参照して、前記ステップＳ１７で読み込んだエリア地図の範囲内に含まれる全ての施設情報を読み出す。
続いてステップＳ１９において、出力イメージ生成部４６は、前記ステップＳ１７で地図データ読込部４５が読み込んだエリア地図と前記ステップＳ１８で施設情報格納部４９が読み込んだ施設情報（特に施設名称）とを合成した出力イメージ（画像）を生成する。
【００３８】
ここで、前記ステップＳ１８で施設情報格納部４９が読み込んだ施設情報（複数の施設）内に、前記ステップＳ１で受信した端末ＩＤについての、過去において目的地（前記差分が１時間よりも長い場合の目的地）となっている施設が含まれている場合、その含まれている施設に対して最終利用日時が表示されるように、出力イメージを生成する。例えば、この処理（最終利用日時の情報作成等）を案内情報選択部４３が行う。
続いてステップＳ７において、出力イメージ送信部４７は、前記ステップＳ１９で生成した出力イメージを情報案内ディスプレイ装置２０に送信する。
【００３９】
図９は、ユーザが情報案内ディスプレイ装置２０上で目的地（施設）を指定した場合、すなわち、情報案内ディスプレイ装置２０（要求送信部２２）がディスプレイＩＤ及び端末ＩＤに含めて、施設ＩＤ取得部２７が取得した施設ＩＤを送信する場合における、情報配信サーバ４０の処理手順を示す。この処理手順に沿って、情報配信サーバ４０の各構成部の処理を説明する。
【００４０】
図９に示すように、先ずステップＳ３１において、要求受信部４１は、情報案内ディスプレイ装置２０からの端末ＩＤ、ディスプレイＩＤ及び施設ＩＤを受信したか否かを判定する。ここで、情報案内ディスプレイ装置２０からの端末ＩＤ、ディスプレイＩＤ及び施設ＩＤを受信した場合、ステップＳ３２に進む。
ステップＳ３２では、移動経路算出部４４は、前記ステップＳ３１で受信したディスプレイＩＤ及び施設ＩＤに基づいて、情報案内ディスプレイ装置（現在位置）から目的地となる施設までの移動経路を算出する（移動経路の候補を選定する）。
【００４１】
例えば、移動経路算出部４４は、ディスプレイ位置情報管理テーブル４８ａ、施設情報管理テーブル４９ａ及び地図データ格納部５１を参照して、ディスプレイＩＤに対応する情報案内ディスプレイ装置の位置情報と、施設ＩＤに対応する施設の位置情報とに基づいて、情報案内ディスプレイ装置から目的地となる施設までの移動経路を算出する。
続いてステップＳ３３において、移動経路算出部４４は、前記ステップＳ３２で算出した移動経路（移動経路の候補）が複数あるか否かを判定する。ここで、移動経路が複数ある場合、ステップＳ３８に進み、移動経路が１つの場合（一意に決まる場合）、ステップＳ３４に進む。
【００４２】
ステップＳ３４では、移動経路算出部（情報案内ディスプレイ装置選択部の機能）４４は、移動経路上に他の情報案内ディスプレイ装置が存在するか否かを判定する。ここで、移動経路算出部４４は、移動経路上に他の情報案内ディスプレイ装置が存在する場合、ステップＳ４３に進み、移動経路上に他の情報案内ディスプレイ装置が存在しない場合、ステップＳ３５に進む。
【００４３】
ここで、移動経路上に他の情報案内ディスプレイ装置が存在する場合とは、移動経路上に配置されている場合（厳密に移動経路上に存在する場合）のみならず、移動経路を中心とした所定のエリア内（例えば移動経路からみて左右１０ｍ以内の範囲内）に存在する場合等であり、ある程度余裕を持たせることもできる。
ステップＳ３５では、地図データ読込部４５は、前記ステップＳ１で受信した施設ＩＤに対応する施設（位置）と前記ステップＳ１で受信したディスプレイＩＤに対応する情報案内ディスプレイ装置（位置）とを含む最大縮尺の地図を地図データ格納部５１から読み込む。
【００４４】
続いてステップＳ３６において、出力イメージ生成部４６は、前記ステップＳ３５で読み込んだエリア地図と前記ステップＳ３２で算出した移動経路（１つの移動経路）とを合成した出力イメージ（画像データ）を生成する。
続いてステップＳ３７において、出力イメージ送信部４７は、前記ステップＳ３６で生成した出力イメージを情報案内ディスプレイ装置２０に送信する。
【００４５】
一方、前記ステップＳ３４において移動経路上に他の情報案内ディスプレイ装置が存在すると判定した場合に進むステップＳ４３では、移動経路算出部４４は、該他の情報案内ディスプレイ装置を中継目的地（中間目的地）として設定する。
続いてステップＳ４４において、地図データ読込部４５は、前記ステップＳ１で受信した施設ＩＤに対応する施設（位置）と前記ステップＳ１で受信したディスプレイＩＤに対応する情報案内ディスプレイ装置（位置）とを含む最大縮尺の地図を地図データ格納部５１から読み込む。
【００４６】
続いてステップＳ４５において、出力イメージ生成部４６は、前記ステップＳ４４で読み込んだエリア地図と前記ステップＳ４３で中継目的地として設定した情報案内ディスプレイ装置とを合成した出力イメージ（画像データ）を生成する。具体的には、前記ステップＳ３２で算出した目的地までの移動経路が表示され、前記ステップＳ４３で中継目的地として設定した情報案内ディスプレイ装置がハイライト表示されるように、出力イメージを生成する。
【００４７】
続いてステップＳ３７において、出力イメージ送信部４７は、前記ステップＳ４５で生成した出力イメージを情報案内ディスプレイ装置２０に送信する。
一方、前記ステップＳ３３において移動経路が複数あると判定した場合に進むステップＳ３８〜ステップＳ４２において、移動経路算出部４４（移動経路選択部）は、情報配信サーバ４０にアクセスしている携帯端末１０の過去の利用履歴に基づいて、ユーザの経路認知度を判定して、最適な移動経路を選定する。
【００４８】
すなわち、先ずステップＳ３８において、移動経路算出部４４は、複数の移動経路の候補から、一の移動経路を選択する。
続いてステップＳ３９において、移動経路算出部４４は、前記ステップＳ３８で選択した移動経路上に他の情報案内ディスプレイ装置が存在するか否かを判定する。ここで、移動経路算出部４４は、移動経路上に他の情報案内ディスプレイ装置が存在する場合、ステップＳ４０に進み、移動経路上に他の情報案内ディスプレイ装置が存在しない場合、ステップＳ４１に進む。
【００４９】
ここで、移動経路上に他の情報案内ディスプレイ装置が存在する場合とは、移動経路上に配置されている場合（厳密に移動経路上に存在する場合）のみならず、移動経路を中心とした所定のエリア内（例えば移動経路からみて左右１０ｍ以内の範囲内）に存在する場合等であり、ある程度余裕を持たせることもできる。
ステップＳ４０では、移動経路算出部４４は、前記ステップＳ３９で存在しているとした他の情報案内ディスプレイ装置について、端末履歴管理テーブル５０ａを参照して、利用履歴（例えば利用回数）を算出する。ここで、移動経路上に複数の他の情報案内ディスプレイ装置が存在する場合には、該複数の他の情報案内ディスプレイ装置のそれぞれについて利用履歴を算出する。そして、ステップＳ４１に進む。
【００５０】
ステップＳ４１では、移動経路算出部４４は、他の移動経路の候補があるか否かを判定する。すなわち、前記ステップＳ３８において複数の移動経路の候補から一の移動経路を選択しているが、複数の移動経路の候補の全てについて前記ステップＳ３８〜ステップＳ４０の処理を終了したか否かを判定する。
ここで、移動経路算出部４４は、他の移動経路の候補がある場合、ステップＳ３８に戻り、移動経路の候補が他にない場合、すなわち、複数の移動経路の候補の全てについて前記ステップＳ３８〜ステップＳ４０の処理を終了した場合、ステップＳ４２に進む。
【００５１】
また、前記ステップＳ３９において候補の移動経路上に他の情報案内ディスプレイ装置が存在しない場合には、前記ステップＳ４０を実施することなく（利用履歴を算出することなく）、ステップＳ４１に進むことになる。この場合、移動経路算出部４４は、情報案内ディスプレイ装置の利用履歴を零（利用回数なし）に設定する。
ステップＳ４２は、全ての移動経路の候補に対して、情報案内ディスプレイ装置の利用履歴を得た場合に進むステップであり、このステップＳ４２では、移動経路算出部４４は、全ての移動経路の候補について得た他の情報案内ディスプレイ装置の利用履歴に基づいて、該全ての移動経路の候補から一の移動経路を選択する。具体的には、移動経路算出部４４は、利用履歴数（利用回数）が最多の情報案内ディスプレイ装置をその経路上に含む移動経路を選択する。また、移動経路算出部４４は、利用履歴数が最多の情報案内ディスプレイ装置をその経路上に含む移動経路が複数存在する場合（利用履歴数が同一となる移動経路が複数存在する場合）、該複数の移動経路からランダムに一の移動経路を選択する。
【００５２】
なお、経路上の情報案内ディスプレイ装置の利用履歴数（利用回数）の合計が最大となる移動経路を選択することもできる。すなわち、候補の移動経路（一の移動経路）上に複数の情報案内ディスプレイ装置が存在する場合もあるので、それら情報案内ディスプレイ装置の利用履歴数（利用回数）を合計して、合計値が最大値となる移動経路を選択することもできる。
続いて、移動経路が１つであり、かつその移動経路上に他の情報案内ディスプレイ装置が存在する場合の処理と同様な処理を行う。
【００５３】
すなわち、移動経路算出部４４が、前記ステップＳ４２で選択した移動経路上にある他の情報案内ディスプレイ装置を中継目的地として設定する（前記ステップＳ４３）。続いて、地図データ読込部４５が、前記ステップＳ１で受信した施設ＩＤに対応する施設（位置）と前記ステップＳ１で受信したディスプレイＩＤに対応する情報案内ディスプレイ装置（位置）とを含む最大縮尺の地図を地図データ格納部５１から読み込む（前記ステップＳ４４）。続いて、出力イメージ生成部４６が、前記ステップＳ４４で読み込んだエリア地図と前記ステップＳ４３で中継目的地として設定した情報案内ディスプレイ装置とを合成した出力イメージ（画像データ）を生成する（前記ステップＳ４５）。そして、出力イメージ送信部４７が、前記ステップＳ４５で出力イメージ生成部４６が生成した出力イメージを情報案内ディスプレイ装置２０に送信する（前記ステップＳ３７）。
以上のように情報配信サーバ４０は、所定の処理を実施できるように構成されている。
【００５４】
（動作及び作用）
動作及び作用は次のようになる。
（１）ユーザが携帯端末１０を情報案内ディスプレイ装置２０の端末ＩＤ読込部２１に単にセットしただけの場合（ユーザが目的地を指定しない場合）
ユーザが携帯端末１０を情報案内ディスプレイ装置２０の端末ＩＤ読込部２１にセットすると、情報案内ディスプレイ装置２０では、端末ＩＤ読込部２１が、該携帯端末１０から端末ＩＤを読み込む。そして、要求送信部２２が、ディスプレイＩＤ及び端末ＩＤを情報配信サーバ４０に通信ネットワーク１００を介して送信する。
【００５５】
（１−１）端末ＩＤの履歴情報が端末履歴管理テーブル５０ａ内に一件も登録されていない場合
これに対応して、情報配信サーバ４０では、要求受信部４１が、端末ＩＤ及びディスプレイＩＤを受信すると、端末履歴格納部５０が、受信した端末ＩＤを検索キーとして、端末履歴管理テーブル５０ａを検索する。そして、端末ＩＤ（端末ＩＤについての履歴情報）が端末履歴管理テーブル５０ａ内に一件も登録されていない場合、ディスプレイ位置情報格納部４８が、受信したディスプレイＩＤに対応する情報案内ディスプレイ装置の位置情報をディスプレイ位置情報管理テーブル４８ａから読み込み、地図データ読込部４５が、情報案内ディスプレイ装置の位置情報（位置）を中心としたエリア地図を読み込む（前記ステップＳ２〜ステップＳ４）。続いて、施設情報格納部４９が、読み込んだエリア地図の範囲内に含まれる施設情報を施設情報管理テーブル４９ａから読み込む（前記ステップＳ５）。そして、出力イメージ生成部４６が、エリア地図と施設情報とを合成した出力イメージを生成し、出力イメージ送信部４７が、情報案内ディスプレイ装置２０に出力イメージを送信する（前記ステップＳ６〜ステップＳ７）。
【００５６】
情報案内ディスプレイ装置２０では、通信ネットワーク１００を介して情報配信サーバ４０からの出力イメージを受信して、案内情報表示部２５が、その出力イメージをディスプレイ２６に表示する。
以上のように、情報案内ディスプレイ装置２０に携帯端末１０がセットされた場合、情報案内ディスプレイ装置２０には、該情報案内ディスプレイ装置２０の配置位置を中心としたエリア地図からなる地図画像が表示される。
【００５７】
図１０は、情報案内ディスプレイ装置２０のディスプレイ２６における表示例を示す。
図１０に示すように、ディスプレイ２６には、エリア地図と施設情報（施設名称）とを合成した地図画像が表示される。
【００５８】
（１−２）端末ＩＤの履歴情報が端末履歴管理テーブル５０ａ内に一件以上登録されている場合で、最新の利用時刻と現在時刻との差が１時間以内の場合（中継地点となる情報案内ディスプレイ装置２０に携帯端末１０がセットされた場合）
また、情報配信サーバ４０では、受信した端末ＩＤについての履歴情報が端末履歴管理テーブル５０ａ内に一件以上登録されている場合、端末履歴格納部５０（又は中継目的地判定部４２）が、該登録されている全ての履歴情報を読み込み、読み込んだ全ての履歴情報の中から「利用日時」が最新の利用履歴を一件選択する（前記ステップＳ２→ステップＳ８〜ステップＳ９）。ここで、「利用日時」と現在時刻との差が１時間以内の場合、中継目的地判定部４２が、携帯端末１０を保持するユーザが利用履歴に記憶されているアクセスと同じ目的を有するものと判断する。すなわち、ユーザが、別の場所に置かれた他の情報表示ディスプレイ装置を利用して目的地までの情報を入手したものの、まだその目的地にユーザが到達できてなく、ユーザが、再度、情報表示ディスプレイ装置２０（別の場所又は同じ場所の情報表示ディスプレイ装置２０）で目的地までの情報を取得しようとしているものと判断する。
【００５９】
このようなことから、情報配信サーバ４０では、端末履歴格納部５０（又は中継目的地判定部４２）が、履歴情報において「目的地」とされている施設を特定し、施設情報格納部４９が、その特定した施設の位置情報を施設情報管理テーブル４９ａから読み込む（前記ステップＳ１０〜ステップＳ１１）。続いて、地図データ格納部４５が、読み込んだ施設（位置）と受信したディスプレイＩＤに対応する情報表示ディスプレイ（位置）とを含む最大縮尺のエリア地図から読み込むとともに、施設情報格納部４９が、読み込んだエリア地図の範囲内に含まれる全ての施設情報を読み込む（前記ステップＳ１２〜ステップＳ１３）。続いて、移動経路算出部４４が、目的地までの移動経路を算出（選択）し、出力イメージ生成部４６が、エリア地図、施設情報及び移動経路を合成した出力イメージを生成し、出力イメージ送信部４７が、情報案内ディスプレイ装置２０に出力イメージを送信する（前記ステップＳ１４〜ステップＳ１５→ステップＳ７）。このとき、出力イメージは、目的地となる施設がハイライト表示されるように生成される。
【００６０】
情報案内ディスプレイ装置２０では、通信ネットワーク１００を介して情報配信サーバ４０からの出力イメージを受信して、案内情報表示部２５が、その出力イメージをディスプレイ２６に表示する。
以上のように、情報案内ディスプレイ装置２０に携帯端末１０がセットされた場合、情報案内ディスプレイ装置２０には、該情報案内ディスプレイ装置２０（現在位置）から目的地（目的施設）まで移動経路を含むエリア地図からなる地図画像が表示される。
【００６１】
なお、目的地の設定については、後述の項目（２）ユーザが目的地を指定した場合の処理で実現される。
図１１は、ディスプレイ２６における表示例を示す。
図１１に示すように、ディスプレイ２６には、エリア地図、施設情報（施設名称）及び移動経路２６ａが合成された地図画像が表示（最大縮尺表示）される。ここで、移動経路２６ａは、エリア地図内で矢印の形態で表示される。また、目的地とされる施設２６ｂは、エリア地図内でハイライト表示され、現在地２６ｃは、ユーザが現在地だと直ぐに解る態様でエリア地図内で表示される。
【００６２】
（１−３）端末ＩＤの履歴情報が端末履歴管理テーブル５０ａ内に一件以上登録されている場合で、最新の利用時刻と現在時刻との差が１時間よりも長い場合（過去の施設の利用状況を表示する場合）
一方、情報配信サーバ４０では、受信した端末ＩＤについての履歴情報が端末履歴管理テーブル５０ａ内に一件以上登録されている場合において、最新の利用履歴の「利用日時」と現在時刻との差が１時間よりも長いときには（前記ステップＳ１０で“Ｎｏ”の判定をした場合）、中継目的地判定部４２が、携帯端末１０を保持するユーザが利用履歴に記憶されているアクセスと異なる目的を有するものと判断する。すなわち、ユーザが、別の場所に置かれた他の情報表示ディスプレイ装置を利用して目的地までの情報を入手しているが、今回はそれとは別に、情報表示ディスプレイ装置で目的地（異なる目的地）までの情報を取得しようとしているものと判断する。
【００６３】
このように判断した場合、ディスプレイ位置情報格納部４８が、受信したディスプレイＩＤに対応する情報案内ディスプレイ装置の位置情報をディスプレイ位置情報管理テーブル４８ａから読み込み、地図データ読込部４５が、情報案内ディスプレイ装置の位置情報
（位置）を中心としたエリア地図を読み込む（前記ステップＳ１６〜ステップＳ１７）。続いて、施設情報格納部４９が、読み込んだエリア地図の範囲内に含まれる施設情報を施設情報管理テーブル４９ａから読み込む（前記ステップＳ１８）。そして、出力イメージ生成部４６が、エリア地図と施設情報とを合成した出力イメージを生成し、出力イメージ送信部４７が、情報案内ディスプレイ装置２０に出力イメージを送信する（前記ステップＳ１９→ステップＳ７）。
【００６４】
ここで、前記ステップＳ５で施設情報格納部４９が読み込んだ施設情報（複数の施設）内に、受信した端末ＩＤについての、過去において目的地（前記差分が１時間よりも長い場合の目的地）となっている施設が含まれている場合、その含まれている施設に対して最終利用日時が表示されるように、出力イメージを生成している。
情報案内ディスプレイ装置２０では、通信ネットワーク１００を介して情報配信サーバ４０からの出力イメージを受信して、案内情報表示部２５が、その出力イメージをディスプレイ２６に表示する。
【００６５】
以上のように、情報案内ディスプレイ装置２０に携帯端末１０がセットされた場合、情報案内ディスプレイ装置２０には、該情報案内ディスプレイ装置２０の配置位置を中心としたエリア地図からなる地図画像が表示される。そして、過去に目的地（前記差分が１時間よりも長い場合の目的地）となっている施設については、最終利用日時が表示される。
図１２は、ディスプレイ２６における表示例を示す。
【００６６】
図１２に示すように、ディスプレイ２６には、エリア地図と施設情報（施設名称）とを合成した画像が表示される。
図１２に示すように、ディスプレイ２６には、エリア地図、施設情報（施設名称）及び最終利用日時２６ｄが合成された画像が表示される。ここで、最終利用日時２６ｄは、その利用した施設２６ｅとの対応関係がわかるように表示される。
【００６７】
（２）ユーザが目的地を指定した場合
ユーザが携帯端末１０を情報案内ディスプレイ装置２０の端末ＩＤ読込部２１にセットすると、情報案内ディスプレイ装置２０では、端末ＩＤ読込部２１が、該携帯端末１０から端末ＩＤを読み込む。そして、ユーザが情報案内ディスプレイ装置２０上で目的地（施設）を指定すると、施設ＩＤ取得部２７が、ユーザが指定した施設の施設ＩＤを取得する。そして、要求送信部２２が、ディスプレイＩＤ、端末ＩＤ及び施設ＩＤを情報配信サーバ４０に通信ネットワーク１００を介して送信する。
【００６８】
（２−１）移動経路が一意に決まる場合で、該移動経路に情報案内ディスプレイ装置が存在しない場合
これに対応して、情報配信サーバ４０では、要求受信部４１が、ディスプレイＩＤ、端末ＩＤ及び施設ＩＤを受信すると、移動経路算出部４４が、受信したディスプレイＩＤ及び施設ＩＤに基づいて、情報案内ディスプレイ装置の位置から目的地となる施設までの移動経路（移動経路の候補）を算出するとともに、算出した移動経路（移動経路の候補）が複数あるか否かを判定する（前記ステップＳ３１〜ステップＳ３３）。ここで、移動経路が１つの場合（一意に決まる場合）、案内情報選択部４３が、その移動経路上に他の情報案内ディスプレイ装置が存在するか否かを判定する（前記ステップＳ３４）。移動経路上に他の情報案内ディスプレイ装置が存在しない場合には、地図データ読込部４５が、施設ＩＤに対応する施設（位置）とディスプレイＩＤに対応する情報案内ディスプレイ装置（位置）とを含む最大縮尺の地図を地図データ格納部５１から読み込む（前記ステップＳ３５）。そして、出力イメージ生成部４６が、エリア地図と移動経路とを合成した出力イメージを生成し、出力イメージ送信部４７が、情報案内ディスプレイ装置２０に出力イメージを送信する（前記ステップＳ３６〜ステップＳ３７）。
【００６９】
情報案内ディスプレイ装置２０では、通信ネットワーク１００を介して情報配信サーバ４０からの出力イメージを受信して、案内情報表示部２５が、その出力イメージをディスプレイ２６に表示する。
以上のように、情報案内ディスプレイ装置２０に携帯端末１０がセットされた場合、情報案内ディスプレイ装置２０には、該情報案内ディスプレイ装置２０（現在位置）から目的地（目的施設）までの移動経路を含むエリア地図からなる地図画像が表示される。
【００７０】
図１３は、ディスプレイ２６における表示例を示す。
図１３に示すように、ディスプレイ２６には、エリア地図、施設情報（施設名称）及び移動経路２６ａが合成された地図画像が表示される。ここで、移動経路２６ａは、エリア地図内で矢印の形態で表示される。また、目的地とされる施設２６ｂは、エリア地図内でハイライト表示され、現在地２６ｃは、ユーザが現在地だと直ぐに解る態様でエリア地図内で表示される。
【００７１】
（２−２）移動経路が一意に決まる場合で、該移動経路に情報案内ディスプレイ装置が存在する場合
一方、移動経路が１つの場合（一意に決まる場合）において、該移動経路上に他の情報案内ディスプレイ装置が存在するときには、移動経路算出部４４が、移動経路上に存在する他の情報案内ディスプレイ装置を中継目的地として設定する（前記ステップＳ３４→ステップＳ４３）。続いて、地図データ読込部４５が、施設ＩＤに対応する施設（位置）とディスプレイＩＤに対応する情報案内ディスプレイ装置（位置）とを含む最大縮尺の地図を地図データ格納部５１から読み込み（前記ステップＳ４４）、出力イメージ生成部４６が、エリア地図、移動経路及び中継目的地として設定した他の情報案内ディスプレイ装置を合成した出力イメージを生成し、出力イメージ送信部４７が、情報案内ディスプレイ装置２０に出力イメージを送信する（前記ステップＳ４５→ステップＳ３７）。
【００７２】
情報案内ディスプレイ装置２０では、通信ネットワーク１００を介して情報配信サーバ４０からの出力イメージを受信して、案内情報表示部２５が、その出力イメージをディスプレイ２６に表示する。
以上のように、情報案内ディスプレイ装置２０に携帯端末１０がセットされた場合、情報案内ディスプレイ装置２０には、該情報案内ディスプレイ装置２０（現在位置）から目的地（目的施設）までの移動経路とともに、利用履歴のある情報案内ディスプレイ装置の位置を含むエリア地図からなる地図画像が表示される。
【００７３】
図１４は、ディスプレイ２６における表示例を示す。
図１４に示すように、ディスプレイ２６には、エリア地図、施設情報（施設名称）、移動経路２６ａ及びその移動経路２６ａに存在する他の情報案内ディスプレイ装置（位置）２６ｆが合成された地図画像が表示される。ここで、移動経路２６ａは、エリア地図内で矢印の形態で表示される。また、目的地とされる施設２６ｂは、エリア地図内でハイライト表示され、現在地２６ｃは、ユーザが現在地だと直ぐに解る態様でエリア地図内で表示される。そして、他の情報案内ディスプレイ装置（位置）２６ｆは、ユーザがそれだと直ぐに解る態様で、例えば説明文２６ｇを付して、エリア地図内で表示される。
【００７４】
（２−３）移動経路の候補が複数ある場合
また、移動経路の候補が複数ある場合、移動経路算出部４４が、その複数の移動経路の候補の全てについて、情報案内ディスプレイ装置の利用履歴を得て、その利用履歴に基づいて、一の移動経路を選択する（前記ステップＳ３８〜ステップＳ４１）。そして、移動経路が一意に決まる場合で、該移動経路に情報案内ディスプレイ装置が存在する場合（前記項目（２−２））の処理と同様な処理を行う。すなわち、移動経路算出部４４が、移動経路上に存在する他の情報案内ディスプレイ装置を中継目的地として設定する（前記ステップＳ４３）。続いて、地図データ読込部４５が、施設ＩＤに対応する施設（位置）とディスプレイＩＤに対応する情報案内ディスプレイ装置（位置）とを含む最大縮尺の地図を地図データ格納部５１から読み込み（前記ステップＳ４４）、出力イメージ生成部４６が、エリア地図、移動経路及び中継目的地として設定した他の情報案内ディスプレイ装置を合成した出力イメージを生成し、出力イメージ送信部４７が、情報案内ディスプレイ装置２０に出力イメージを送信する（前記ステップＳ４５→ステップＳ３７）。
情報案内ディスプレイ装置２０では、通信ネットワーク１００を介して情報配信サーバ４０からの出力イメージを受信して、案内情報表示部２５が、その出力イメージをディスプレイ２６に表示する。ディスプレイ２６における表示例は、前記図１４と同様になる。
【００７５】
（作用及び効果）
作用及び効果は次のようになる。
前述のように、情報案内ディスプレイ装置２０に携帯端末１０がセットされた場合、情報案内ディスプレイ装置２０には、該情報案内ディスプレイ装置２０（現在位置）から目的地（目的施設）までの移動経路とともに、利用履歴のある情報案内ディスプレイ装置の位置を含むエリア地図からなる地図画像が表示される。すなわち、目的地への移動経路を含む地図画像を表示出力する場合には、携帯端末１０による情報案内ディスプレイ装置の利用履歴を参照して、目的地への移動経路を決定し、その決定した移動経路と、該移動経路の決定に用いた利用履歴のある他の情報案内ディスプレイ装置の位置を、情報案内ディスプレイ装置２０（現在地の情報案内ディスプレイ装置２０）にて、地図画像に含めて表示している。
【００７６】
これにより、ユーザは、情報案内ディスプレイ装置２０（現在の情報案内ディスプレイ装置２０）に表示された地図画像（案内表示）をたよりに、利用履歴のある中継地点（他の情報案内ディスプレイ装置が設置されている地域）を経由して、目的地に移動することができる。よって、目的地までの移動経路が、情報案内ディスプレイ装置を以前利用した地域、すなわち土地勘のある地域を経由していることで、ユーザが地図画像の内容を忘れる頻度を少なくし、たとえ、ユーザが地図画像の内容を忘れたとしても、目的地に行く最中にユーザが道に迷ってしまう頻度を減らすことができる。さらに、たとえ、道に迷ったとしても、その目的地までの移動経路に設置されている情報案内ディスプレイ装置２０を容易に発見することができ、該情報案内ディスプレイ装置２０から再び目的地までの情報を得ることができる。
【００７７】
例えば、従来は、特定エリア内の情報案内ディスプレイ装置の利用において、出発地点における案内情報は、該エリアへのユーザの訪問履歴を考慮しておらず、すべてのユーザに画一的な情報とされていた。これに対して、本発明を適用することで、ユーザの状況に応じて適切な情報を提供することができる。
【００７８】
また、前述のように、情報案内ディスプレイ装置２０を利用している現在時刻と以前の利用時刻（「利用日時」の情報）との差が所定時間（例えば１時間）以下の場合、現在利用している情報案内ディスプレイ装置２０を中継地点の情報案内ディスプレイ装置として、該情報案内ディスプレイ装置２０にて、以前に入力されている目的地までの移動経路を含めた地図画像を表示している。これにより、情報案内ディスプレイ装置２０から目的地までの情報を得たものの、目的地に向かう途中で道に迷った場合でも、情報案内ディスプレイ装置２０から情報を得てから所定時間内（例えば１時間内）であれば、再び、情報案内ディスプレイ装置２０（出発地点の情報案内ディスプレイ装置２０や他の地点の情報案内ディスプレイ装置２０）から目的地までの移動経路を含めた地図情報を得ることができる。すなわち、道に迷うという現象が長引くことがない（短時間に解決可能である）との前提にたって、再び、情報案内ディスプレイ装置２０（出発地点の情報案内ディスプレイ装置２０や他の地点の情報案内ディスプレイ装置２０）から目的地までの移動経路を含めた地図情報を得ることができるようにしている。これにより、例えば、時間が経過して（例えば後日）、ユーザが、情報案内ディスプレイ装置２０から目的地（以前とは別の目的地）までの情報を得ようとしているのにもかかわらず、以前に設定した目的地までの移動経路を含めた地図画像が該情報案内ディスプレイ装置２０に表示されてしまうのを防止できる。
【００７９】
すなわち、ユーザによる情報案内ディスプレイ装置２０へのアクセスが中継目的地であるか否かの判定を自動的に行うことで、中継地点での再度の目的地の入力を省略可能とし、操作性を高めることができる。
また、複数の情報案内ディスプレイ装置２０が配置されたエリア内での案内において、ある地点の情報案内ディスプレイ装置２０での案内表示の中に、目的地近辺の情報案内ディスプレイ装置の場所を明示した移動経路を表示することで、目標地点までにおおまかに移動した後、再度、情報案内ディスプレイ装置２０に対して詳細な案内表示を提示するなどといった段階的な案内が可能となる。例えば、図１１に示すように、目的地とされる施設２６ｂ近くに設置されている情報案内ディスプレイ装置２０では、地図画像が最大縮尺表示されるといったようにである。
【００８０】
また、前述のように、情報案内ディスプレイ装置２０を利用している現在時刻と以前の利用時刻（「利用日時」の情報）との差が所定時間（例えば１時間）よりも長い場合でも、現在利用している情報案内ディスプレイ装置２０にて、これまで利用履歴のある施設をユーザが明確にわかるようにしている（前記図１２参照）。これにより、過去に訪問した目的地に再訪問する場合の確認や、今回設定した目的地を過去に訪問した目的地との相対的な位置関係で把握できるようになる。
なお、前記実施形態を次のような構成により実現することもできる。
【００８１】
すなわち、前記実施形態では、情報配信サーバ４０において、携帯端末１０の履歴管理や情報案内ディスプレイ装置２０の出力イメージ生成など、全ての処理を行っている。しかし、これに限定されるものではない。例えば、図１５に示すように、情報案内ディスプレイ装置２０について処理を行うものであり、現在既に普及しているサーバ（例えば情報配信サーバ）６０と、本発明を実現するために必要な処理を行うサーバ（例えば履歴管理サーバ）７０とを備える。このような構成にした場合、現在既に普及しているサーバ（例えば情報配信サーバ）６０及び情報案内ディスプレイ装置２０により、地図描画、移動経路描画、施設案内のみを実行するようにして、本発明を実現するために必要な処理を行うサーバ（例えば履歴管理サーバ）７０では、例えば、ユーザ（携帯端末１０）毎の利用履歴を管理したり（端末履歴格納部５０及び端末履歴格納テーブル５０ａを備えたり）、中継目的地の設定のための処理を行うようにしたり（中継目的地判定部４２を備えたり）する。これにより、利用履歴の管理や中継目的地の設定を、全て携帯端末１０からの指示により実行できるようにする。
【００８２】
このように、本発明を実現するために必要な処理を行うサーバ（例えば履歴管理サーバ）７０を別に設けることで、ユーザ毎の履歴管理機能等の新た機能を、容易に追加、拡張できるようになる。
また、前記実施形態では、情報案内ディスプレイ装置２０において地図画像を出力しているが、携帯端末１０にて地図画像を出力することができる。
【００８３】
この場合、図１６に示すように、情報案内ディスプレイ装置に換えて、携帯端末との間で非接続状態で通信可能な携帯端末間通信装置である位置通知装置８０を備えることもできる。位置通知装置８０は、エリア内の位置（該位置通知装置８０の設置位置）通知機能のみを備えている。これにより、地図表示や移動経路表示等を携帯端末１０上のディスプレイにより実行する方式となり、携帯端末１０では、地図画像表示機能を含めて、情報案内ディスプレイ装置２０が備える全ての機能を有するようにする。
【００８４】
このような構成にした場合、位置通知装置８０の備える端末ＩＤ読込部８１に携帯端末１０をかざすことで、携帯端末１０では、位置通知装置８０から現在位置（位置通知装置８０の設置位置）を取得し、取得した現在位置情報を情報配信サーバ４０に送信するなどし、それ以後、情報配信サーバ４０と携帯端末１０との間の通信により処理を実行する。
これにより、情報案内ディスプレイ装置２０の配置が物理的、又は費用的に困難なシステムにおいても、ユーザの履歴に応じた施設案内が簡易に実現できる。
【００８５】
なお、前記実施形態の説明において、情報配信サーバ４０は、携帯端末との間で非接続状態で通信可能な携帯端末間通信装置に前記携帯端末がかざされた場合に、前記携帯端末間通信装置の表示出力部又は携帯端末にて地図画像を外部出力するための画像データを送信する情報管理サーバを実現しており、端末履歴格納部５０は、前記携帯端末による前記携帯端末間通信装置の利用履歴を含めて、前記携帯端末に関する情報を管理する携帯端末情報管理手段を実現しており、情報配信サーバ４０におけるステップＳ４３の処理は、前記携帯端末情報管理手段で管理する前記利用履歴を参照し、携帯端末が利用したことのある携帯端末間通信装置を、目的地に至る経路の中継地点として選択する中継地点選択手段を実現しており、情報配信サーバ４０におけるステップＳ３２やステップＳ４２の処理（結果的な処理として）は、前記中継地点選択手段が目的地に至る経路の中継地点として選択した携帯端末間通信装置を経由するように、目的地への移動経路を決定する移動経路決定手段を実現しており、情報配信サーバ４０におけるステップＳ４４の処理は、前記移動経路決定手段が決定した移動経路と、前記中継地点選択手段が選択した携帯端末間通信装置の位置とを含めた地図の画像データを作成する画像データ作成手段を実現しており、情報配信サーバ４０におけるステップＳ４５の処理は、前記画像データ作成手段が作成した画像データを通信ネットワークを介して前記携帯端末間通信装置又は携帯端末に送信する送信手段を実現している。
【００８６】
また、前記実施形態の説明において、情報案内ディスプレイ装置２０は、携帯端末との間で非接続状態で通信可能とされ、前記携帯端末がかざされたことに対応して情報管理サーバから送信されてくる画像データを地図画像として外部出力し、又は前記携帯端末にて外部出力させる携帯端末間通信装置を実現しており、端末ＩＤ読込部２１は、かざされた携帯端末の識別情報を取得する携帯端末識別情報取得手段を実現しており、ディスプレイＩＤ格納部２４は、携帯端末間通信装置の識別情報を保持する装置識別情報保持手段を実現しており、施設ＩＤ取得部２７は、前記地図画像内に表示している施設で、ユーザにより指定された施設の識別情報を取得する施設識別情報取得手段を実現しており、要求送信部２２は、前記携帯端末識別情報取得手段が取得した携帯端末の識別情報、前記装置板識別情報保持手段が保持する携帯端末間通信装置の識別情報及び施設識別情報取得手段が取得した施設の識別情報を前記情報管理サーバに送信する送信手段を実現している。
【００８７】
また、前記実施形態の説明において、携帯端末１０は、非接続状態で通信可能な携帯端末間通信装置にかざされることで、自己の識別情報が前記携帯端末間通信装置を介して情報管理サーバに送信されて、その送信に対応して前記情報管理サーバから送信されてくる画像データを地図画像として前記携帯端末間通信装置の表示出力部又は自己を介して外部出力する携帯端末を実現しており、端末ＩＤ格納部１２は、携帯端末の識別情報を保持する携帯端末識別情報保持手段を実現しており、端末ＩＤ送信部１１は、かざさしたタイミングで、前記携帯端末識別情報保持手段が保持している携帯端末の識別情報を前記携帯端末間通信装置に送信する送信手段を実現している。
【００８８】
また、前記実施形態の説明では、携帯端末との間で非接続状態で通信可能な携帯端末間通信装置に前記携帯端末がかざされた場合に、前記携帯端末間通信装置の表示出力部又は前記携帯端末にて地図画像を外部出力する情報案内方法において、前記携帯端末間通信装置に携帯端末がかざされた場合、該携帯端末間通信装置及び携帯端末の識別情報を情報管理サーバに送信し、前記情報管理サーバでは、送信されてきた前記携帯端末間通信装置の識別情報と携帯端末の識別情報とを対応付けて前記携帯端末による前記携帯端末間通信装置の利用履歴を管理しており、前記情報管理サーバでは、前記携帯端末間通信装置又は携帯端末にて地図図形を表示させる際には、前記利用履歴を参照し、前記携帯端末の識別情報を基に、該携帯端末が利用したことがあり、かつ前記目的地への移動経路上に存在する携帯端末間通信装置を選定し、その選定した携帯端末間通信装置を経由するように、目的地への移動経路を決定し、前記情報管理サーバでは、該携帯端末間通信装置及び移動経路を含めて地図の画像データを作成し、その作成した画像データを前記携帯端末間通信装置又は携帯端末に送信し、前記携帯端末間通信装置の表示出力部又は携帯端末では、前記情報管理サーバから送信されてくる画像データに基づいて、地図画像を外部出力することを実現している。
【図面の簡単な説明】
【００８９】
【図１】本発明の実施形態の情報案内表示システムの構成を示す図である。
【図２】情報案内表示システムにおける携帯端末の構成を示すブロック図である。
【図３】情報案内表示システムにおける情報案内ディスプレイ装置の構成を示すブロック図である。
【図４】情報案内表示システムにおける情報配信サーバの構成を示すブロック図である。
【図５】ユーザが情報案内ディスプレイ装置にて目的地を設定していない場合の情報配信サーバにおける処理の処理手順を示すフローチャートである。
【図６】情報配信サーバで管理する端末履歴管理テーブルの構成例を示す図である。
【図７】情報配信サーバで管理するディスプレイ位置情報管理テーブルの構成例を示す図である。
【図８】情報配信サーバで管理する施設情報管理テーブルの構成例を示す図である。
【図９】ユーザが情報案内ディスプレイ装置にて目的地を設定した場合の情報配信サーバにおける処理の処理手順を示すフローチャートである。
【図１０】情報案内ディスプレイ装置における地図画像の表示例を示す。
【図１１】情報案内ディスプレイ装置における地図画像の他の表示例を示す。
【図１２】情報案内ディスプレイ装置における地図画像の他の表示例を示す。
【図１３】情報案内ディスプレイ装置における地図画像の他の表示例を示す。
【図１４】情報案内ディスプレイ装置における地図画像の他の表示例を示す。
【図１５】本発明の実施形態の情報案内表示システムの他の構成を示す図である。
【図１６】本発明の実施形態の情報案内表示システムの他の構成を示す図である。
【符号の説明】
【００９０】
１０  携帯端末、１１  端末ＩＤ送信部、１２  端末ＩＤ格納部、２０  情報案内ディスプレイ装置、２１  端末ＩＤ読込部、２２  要求送信部、２３  ディスプレイＩＤ送信部、２４  ディスプレイＩＤ格納部、２５  案内情報表示部、２６  ディスプレイ、２７  施設ＩＤ取得部、４０  情報配信サーバ、４１  要求受信部、４２  中継目的地判定部、４３  案内情報選択部、４４  移動経路算出部、４５  地図データ読込部、４６  出力イメージ生成部、４７  出力イメージ送信部、４８  ディスプレイ位置情報格納部、４９  施設情報格納部、５０  端末履歴格納部、５１  地図データ格納部、１００  通信ネットワーク
【図１】
2008129773.tif 000003
【図２】
2008129773.tif 000004
【図３】
2008129773.tif 000005
【図４】
2008129773.tif 000006
【図５】
2008129773.tif 000007
【図６】
2008129773.tif 000008
【図７】
2008129773.tif 000009
【図８】
2008129773.tif 000010
【図９】
2008129773.tif 000011
【図１０】
2008129773.tif 000012
【図１１】
2008129773.tif 000013
【図１２】
2008129773.tif 000014
【図１３】
2008129773.tif 000015
【図１４】
2008129773.tif 000016
【図１５】
2008129773.tif 000017
【図１６】
2008129773.tif 000018